(57)【要約】【課題】ホルダと一括ゴム栓との隙間に進入した水を速やかに外部に排出できる防水コネクタを提供することを目的とする。【解決手段】雄コネクタ１は、雄端子付き電線１０と、雄端子保持部２１と第１ゴム栓収容部３２とを備える雄ハウジング２０と、第１ゴム栓収容部３１の内部に収容される一括ゴム栓５０およびホルダ６０とを備える。第１ゴム栓収容部３１は、一括ゴム栓５０とホルダ６０とを囲む第１囲み壁部３３を備えている。第１囲み壁部３３は、一括ゴム栓５０とホルダ６０との下方に位置する第１下壁３３Ｂを備えるとともに、第１下壁３３Ｂの内側に開口する第１入水口３６Ａと外側に開口する出水口３６Ｂとを有して第１下壁３３Ｂを貫通する第１排水孔３６を有している。ホルダ６０は、一括ゴム栓５０に当接する当接面６１Ａを有しており、第１入水口３６Ａが、当接面６１Ａの直下に配置されている。【選択図】図６
2019008904.tif 000002
【特許請求の範囲】
【請求項１】
電線と、前記電線の端末に接続された端子金具とを備える端子付き電線と、
前記端子金具を保持する端子保持部と、前記端子保持部から連なるゴム栓収容部とを備えるコネクタハウジングと、
前記ゴム栓収容部の内部に収容され、前記ゴム栓収容部と前記電線との間をシールするゴム栓と、
前記ゴム栓収容部の内部に収容されて前記ゴム栓を抜け止めするホルダとを備える防水コネクタであって、
前記ゴム栓収容部が、奥壁部と、前記奥壁部から延び、前記ゴム栓と前記ホルダとを囲むとともに、開口部を有する囲み壁部とを備えており、
前記ホルダが、前記開口部を塞ぐように配置されるとともに、前記電線を挿通可能な電線挿通孔を有しており、
前記囲み壁部が、前記ゴム栓と前記ホルダとの下方に位置する下壁を備えるとともに、前記下壁の内側に開口する入水口と外側に開口する出水口とを有して前記下壁を貫通する排水路を有しており、
前記ホルダが、前記ゴム栓に対向する対向面を有しており、
前記入水口が、前記対向面の直下に配置されている、防水コネクタ。
【請求項２】
前記出水口が、前記対向面よりも前記奥壁部に近接する位置に至って開口している、請求項１に記載の防水コネクタ。
【請求項３】
前記ホルダが、前記下壁と対向する下面を有するとともに、前記下面から突出するガイドリブを備え、
前記下壁には前記ガイドリブが進入可能なガイド溝が配置され、
前記入水口が前記ガイド溝の内側に開口している、請求項１または請求項２に記載の防水コネクタ。
【発明の詳細な説明】
【技術分野】
【０００１】
本明細書によって開示される技術は、防水コネクタに関する。
【背景技術】
【０００２】
車載用の防水コネクタにおいて、小型化を目的として、一括ゴム栓と呼ばれる、複数の電線の周りを一括してシールするゴム栓が用いられることがある。
【０００３】
この種の防水コネクタは、端子を保持する保持部の後側に、一括ゴム栓を収容する収容部を有するコネクタハウジングと、収容部の内部に収容される一括ゴム栓と、収容部の内部に一括ゴム栓の後方から嵌め付けられて一括ゴム栓を抜け止めするホルダとを備えている。ホルダは、電線をコネクタハウジングの外部に導出するための電線挿通孔を備えている（特許文献１参照）
【先行技術文献】
【特許文献】
【０００４】
【特許文献１】特開平１１−３５４１９８号公報
【発明の概要】
【発明が解決しようとする課題】
【０００５】
上記の構成の防水コネクタでは、一括ゴム栓とホルダとの周囲がコネクタハウジングによって覆われているため、電線挿通孔から侵入した水が、ホルダと一括ゴム栓との隙間に溜まってしまうことがある。
【課題を解決するための手段】
【０００６】
本明細書によって開示される防水コネクタは、電線と、前記電線の端末に接続された端子金具とを備える端子付き電線と、前記端子金具を保持する端子保持部と、前記端子保持部から連なるゴム栓収容部とを備えるコネクタハウジングと、前記ゴム栓収容部の内部に収容され、前記ゴム栓収容部と前記電線との間をシールするゴム栓と、前記ゴム栓収容部の内部に収容されて前記ゴム栓を抜け止めするホルダとを備える防水コネクタであって、前記ゴム栓収容部が、奥壁部と、前記奥壁部から延び、前記ゴム栓と前記ホルダとを囲むとともに、開口部を有する囲み壁部とを備えており、前記ホルダが、前記開口部を塞ぐように配置されるとともに、前記電線を挿通可能な電線挿通孔を有しており、前記囲み壁部が、前記ゴム栓と前記ホルダとの下方に位置する下壁を備えるとともに、前記下壁の内側に開口する入水口と外側に開口する出水口とを有して前記下壁を貫通する排水路を有しており、前記ホルダが、前記ゴム栓に対向する対向面を有しており、前記入水口が、前記対向面の直下に配置されている。
【０００７】
上記の構成によれば、電線挿通孔から侵入し、対向面まで到達した水を、スムーズに排水孔に導き、外部に排出することができる。
【０００８】
上記の構成において、前記出水口が、前記対向面よりも前記奥壁部に近接する位置に至って開口していてもよい。
【０００９】
防水コネクタが、ゴム栓収容部の奥壁部よりも開口部側が下がる姿勢に傾いていれば、水はゴム栓収容部の内部に入り込みにくい。一方、防水コネクタが、奥壁部側が下がる姿勢に傾いている場合には、電線挿通孔を通って水が対向面まで流れ込み、ホルダと一括ゴム栓との隙間に溜まってしまうことが懸念される。出水口が、対向面よりも奥壁部に近接する位置に至って開口している構成とすることによって、対向面まで到達した水が低い方へと流れてスムーズに出水口に導かれ、外部に排出される。
【００１０】
上記の構成において、前記ホルダが、前記下壁と対向する下面を有するとともに、前記下面から突出するガイドリブを備え、前記下壁には前記ガイドリブが進入可能なガイド溝が配置され、前記入水口が前記ガイド溝の内側に開口していてもよい。
【００１１】
ガイドリブおよびガイド溝は、ホルダのホルダ収容部への挿入をガイドするために、一般に、ある程度の幅をもって形成されているので、入水口がガイド溝の内側に開口する構成とすることにより、排水孔の内部へ水がスムーズに流れ込むために必要な入水口の大きさを確保することができる。
【発明の効果】
【００１２】
本明細書によって開示される防水コネクタによれば、ホルダと一括ゴム栓との隙間に進入した水を速やかに外部に排出できる。
【図面の簡単な説明】
【００１３】
【図１】実施形態において、雄コネクタと雌コネクタが嵌合した状態を示す斜視図
【図２】実施形態において、雄コネクタと雌コネクタが嵌合した状態を雄コネクタ側から見た図
【図３】図２のＡ−Ａ線断面図
【図４】実施形態において、雄コネクタと雌コネクタが嵌合した状態を、雄端子付き電線および雌端子付き電線を省略して雄コネクタ側から見た図
【図５】図４のＢ−Ｂ線断面図
【図６】図５の円Ｒ１内の部分拡大図
【図７】図５の円Ｒ２内の部分拡大図
【図８】実施形態の雄コネクタの、雄端子付き電線を省略して示す分解斜視図
【図９】実施形態の雄ハウジングの斜視図
【図１０】実施形態の雄ハウジングの底面図
【図１１】実施形態の雄ハウジングの左側面図
【図１２】実施形態の雄ハウジングの正面図
【図１３】図１２のＣ−Ｃ線断面図
【図１４】図１３のＤ−Ｄ線断面図
【図１５】図１４の円Ｒ３内の部分拡大図
【図１６】実施形態の一括ゴム栓の斜視図
【図１７】実施形態のホルダの斜視図
【図１８】実施形態のホルダの背面図
【図１９】図１８のＥ−Ｅ線断面図
【図２０】実施形態の雌コネクタの、雌端子付き電線を省略して示す分解斜視図
【図２１】実施形態の雌ハウジングの斜視図
【図２２】実施形態の雌ハウジングの正面図
【図２３】図２２のＦ−Ｆ線断面図
【発明を実施するための形態】
【００１４】
実施形態を、図１〜図２３を参照しつつ説明する。本実施形態の防水コネクタは、雄コネクタ１（防水コネクタに該当）と、この雄コネクタ１と嵌合される雌コネクタ１００（防水コネクタに該当）である。
【００１５】
［雄コネクタ１］
雄コネクタ１は、図３および図８に示すように、複数の雄端子付き電線１０（端子付き電線に該当）と、これら複数の雄端子付き電線１０を保持する雄ハウジング２０（コネクタハウジングに該当）と、雄ハウジング２０に装着される一括ゴム栓５０（ゴム栓に該当）と、雄ハウジング２０に装着されて一括ゴム栓５０を抜け止めするホルダ６０とを備えている。
【００１６】
（雄端子付き電線１０）
複数の雄端子付き電線１０は、図３に示すように、雄端子金具１１（端子金具に該当）と、この雄端子金具１１に圧着される電線Ｗとを備えている。複数の雄端子金具１１のそれぞれは、所定形状に打ち抜いた金属板材を曲げ加工して形成された部材であって、細長い板状のタブ部１２と、このタブ部１２から連なり、電線Ｗの端末部に圧着された電線接続部１３とを備えている。
【００１７】
（雄ハウジング２０）
雄ハウジング２０は、合成樹脂製であって、図９に示すように、雌コネクタ１００と嵌合されるフード部４１と、雄端子金具１１を保持する雄端子保持部２１（端子保持部に該当）と、一括ゴム栓５０とホルダ６０とを収容する第１ゴム栓収容部３１（ゴム栓収容部に該当）とを備えている。
【００１８】
フード部４１は、図１２および図１３に示すように、矩形板状の底壁部４２と、この底壁部４２から垂直に延びる角筒状の周壁部４３とを備えている。フード部４１の奥端には、図３に示すように、雌コネクタ１００との隙間をシールするゴムリング７０が収容されている。
【００１９】
雄端子保持部２１は、図１３に示すように、底壁部４２から、周壁部４３と反対側に延びるブロック状の部分である。この雄端子保持部２１は、雄端子金具１１の電線接続部１３を収容可能な複数の雄キャビティ２２を有している。 
【００２０】
第１ゴム栓収容部３１は、図９および図１３に示すように、雄端子保持部２１において底壁部４２と平行な一面（第１シール面２１Ａ）から延び、一括ゴム栓５０とホルダ６０とを囲む角筒状の第１囲み壁部３３（囲み壁部に該当）を備えている。第１シール面２１Ａは、第１ゴム栓収容部３１の奥壁部を兼ねている。第１囲み壁部３３は、第１シール面２１Ａと反対側に開口部（第１ゴム栓挿入口３２）を有している。第１囲み壁部３３は、一括ゴム栓５０とホルダ６０との下方に位置する第１下壁３３Ｂ（下壁に該当）と、この第１下壁と向かい合って配置される第１上壁３３Ａと、第１上壁３３Ａと第１下壁３３Ｂとの端縁同士を繋ぐ一対の第１側壁３３Ｃとを備えている。
【００２１】
第１下壁３３Ｂは、図１３に示すように外側に向かって張り出す２つの第１張り出し部３４を備えることにより、部分的に肉厚となっている。図９および図１０に示すように、２つの第１張り出し部３４のうち一方は、第１ゴム栓挿入口３２の開口縁に隣接するとともに、一方の第１側壁３３Ｃに近接して配置され、他方は、第１ゴム栓挿入口３２の開口縁に隣接するとともに、他方の第１側壁３３Ｃに近接して配置されている。
【００２２】
第１下壁３３Ｂは、２つの第１ガイド溝３５（ガイド溝に該当）と、２つの第１排水孔３６（排水路に該当）を有している。２つの第１ガイド溝３５および２つの第１排水孔３６の構成は互いに同一であるから、以下には、一方の第１ガイド溝３５および２つの第１排水孔３６について詳しく説明し、他方については、同一の構成に同一の符号を付して説明を省略する。
【００２３】
第１ガイド溝３５は、図９に示すように、第１下壁３３Ｂにおいて、第１張り出し部３４が配置された部分の内側に配置されている。第１ガイド溝３５は、第１下壁３３Ｂの内側面（第１上壁３３Ａと対向する面）から下方に凹み、第１ゴム栓挿入口３２の開口縁から第１シール面２１Ａに向かって延びる溝であって、図６および図１５に示すように、第１下壁３３Ｂの内側面と平行な第１溝底面３５Ａと、互いに向かい合って配置され、第１溝底面３５Ａと第１下壁３３Ｂの内側面とを繋ぐ一対の第１溝側面３５Ｂと、一対の第１溝側面３５Ｂの奥端縁（第１ゴム栓挿入口３２とは反対側の端縁）同士を連結し、第１溝底面３５Ａと第１下壁３３Ｂの内側面とを繋ぐ第１奥端面３５Ｃとで定義される溝である。第１奥端面３５Ｃには、図６に示すように、段差がある。
【００２４】
第１排水孔３６は、図６および図１５に示すように、第１下壁３３Ｂの内側（より具体的には、第１ガイド溝３５の内側）に開口する第１入水口３６Ａ（入水口に該当）と、第１下壁３３Ｂの外側（より具体的には、第１張り出し部３４の外側）に開口する第１出水口３６Ｂ（出水口に該当）とを有し、第１下壁３３Ｂを貫通する貫通孔である。第１入水口３６Ａは、第１溝底面３５Ａに、第１奥端面３５Ｃに隣接して開口している。第１出水口３６Ｂは、第１溝底面３５Ａと平行な底面（第１出水面３４Ａ）と、第１出水面３４Ａに対して垂直で、相手側の第１張り出し部３４と反対側の側面（第２出水面３４Ｂ）とに開口している。
【００２５】
（一括ゴム栓５０）
一括ゴム栓５０は、ゴムなどの弾性部材により構成されており、図１６に示すように、厚みのある長方形の板状であって、複数のシール孔５１を有している。各シール孔５１は、電線Ｗを挿通するための貫通孔である。各シール孔５１の内周面には、図６に示すように、全周にわたって延び、内側に向かって突出する２条の内周リップ５２が配置されている。また、一括ゴム栓５０の外周面には、図１６に示すように、全周にわたって延び、外側に向かって突出する２条の外周リップ５３が配置されている。
【００２６】
（ホルダ６０）
ホルダ６０は、合成樹脂製であって、図１７に示すように、ホルダ本体６１と、２つのガイドリブ６５とを備えている。
【００２７】
ホルダ本体６１は、全体として直方体状の部材であって、図６および図１９に示すように、一面が、雄ハウジング２０に組み付けられる際に一括ゴム栓５０に当接する当接面６１Ａ（対向面に該当）となっている。ホルダ本体６１は、図１７に示すように、複数の電線挿通孔６２と複数の排水溝６３とを有している。各電線挿通孔６２は、電線Ｗを挿通するための貫通孔である。排水溝６３は、当接面６１Ａから凹む溝である。複数の排水溝６３のうちいくつかは、ホルダ６０が雄ハウジング２０に組み付けられた状態で上下に隣り合う２つの電線挿通孔６２の孔縁同士を結んで配置されている。また、残りの排水溝６３は、当接面６１Ａの上縁または下縁と電線挿通孔６２の孔縁とを結んで配置されている。さらに、当接面６１Ａの周縁には、図１７に示すように、当接面６１Ａと、この当接面６１Ａと垂直な外周面とで作られる角部が全周にわたって切り欠かれたような形状の外周溝６４が配置されている。
【００２８】
２つのガイドリブ６５は、図１７、図１８および図１９に示すように、ホルダ本体６１の外周面のうち第１下壁３３Ｂと対向する下面６１Ｂに配置されたすじ状の突部であって、当接面６１Ａに対して垂直に延びている。
【００２９】
ホルダ本体６１の外周面には、図１７に示すように、２つの弾性係止片６６が配置されており、第１ゴム栓収容部３１には、２つの弾性係止片６６のそれぞれと係合する第１係合部３７が設けられている。
【００３０】
（雄ハウジング２０に対する一括ゴム栓５０、ホルダ６０および雄端子付き電線１０の組み付け）
一括ゴム栓５０とホルダ６０とは、図５に示すように、第１ゴム栓収容部３１の内部に収容される。一括ゴム栓５０は、第１ゴム栓収容部３１の奥端に、第１シール面２１Ａに隣接して配置されている。ゴム栓ホルダ６０は、当接面６１Ａを一括ゴム栓５０に当接させて、第１ゴム栓収容部３１の内部に、第１ゴム栓挿入口３２を塞ぐようにして収容されている。図１に示すように、２つの弾性係止片６６のそれぞれが２つの第１係合部３７のそれぞれに係合することによって、ホルダ６０が第１ゴム栓収容部３１に保持され、一括ゴム栓５０を抜け止めしている。図２に示すように、２つのガイドリブ６５のそれぞれが、２つの第１ガイド溝３５のそれぞれの内部に収容される。ホルダ６０の組み付け方向（図２の上下方向）を間違えると、ガイドリブ６５が第１ゴム栓挿入口３２の開口縁に干渉してホルダ６０を組み付けることができないため、ホルダ６０の組み付け方向を間違えることが回避される。
【００３１】
図６に示すように、第１奥端面３５Ｃは、当接面６１Ａよりも僅かに第１シール面２１Ａに近接して配置されており、第１入水口３６Ａが当接面６１Ａの直下に配置されている。ガイドリブ６５の長さは、第１ガイド溝３５の長さよりもわずかに短く、ガイドリブ６５と第１奥端面３５Ｃとの間には、隙間がある。第１出水口３６Ｂは、第１入水口３６Ａと同様に、当接面６１Ａの直下に配置されており、当接面６１Ａよりも第１ゴム栓挿入口３２に近い位置から、第１シール面２１Ａに近い位置に亘って開口している。
【００３２】
複数の雄端子付き電線１０のそれぞれは、図３に示すように、雄端子金具１１が各雄キャビティ２２の内部に配置され、タブ部１２が底壁部４２を貫通してフード部４１の内部に配置されている。電線Ｗは、シール孔５１および電線挿通孔６２を通って雄ハウジング２０の外部に延びている。一括ゴム栓５０の外周リップ５３が潰されながら第１ゴム栓収容部３１の内側面に弾性的に密着し、内周リップ５２が潰されながら各電線Ｗの外周面に弾性的に密着することによって、水が雄キャビティ２２の内部に浸入することが防がれている。
【００３３】
［雌コネクタ１００］
雌コネクタ１００は、図３および図２０に示すように、複数の雌端子付き電線１１０（端子付き電線に該当）と、これら複数の雌端子付き電線１１０を保持する雌ハウジング１２０（コネクタハウジングに該当）と、雌ハウジング１２０に装着される一括ゴム栓５０と、雌ハウジング１２０に装着されて一括ゴム栓５０を抜け止めするホルダ６０とを備えている。
【００３４】
（雌端子付き電線１１０）
複数の雌端子付き電線１１０は、図３に示すように、雌端子金具１１１（端子金具に該当）と、この雌端子金具１１１に圧着される電線Ｗとを備えている。複数の雌端子金具１１１のそれぞれは、所定形状に打ち抜いた金属板材を曲げ加工して形成された部材であって、雄端子金具１１のタブ部１２を内部に受け入れ可能な角筒状の端子本体１１２と、この端子本体１１２から連なり、電線Ｗの端末部に圧着された電線接続部１１３とを備えている。
【００３５】
（雌ハウジング１２０）
雌ハウジング１２０は、合成樹脂製であって、図２１に示すように、雌端子金具１１１を保持する雌端子保持部１２１（端子保持部に該当）と、一括ゴム栓５０とホルダ６０とを収容する第２ゴム栓収容部１３１（ゴム栓収容部に該当）と、雌端子保持部１２１から連なるロックアーム１４１とを備えている。
【００３６】
雌端子保持部１２１は、図２３に示すように、ブロック状であって、雌端子金具１１１を収容可能な複数の雌キャビティ１２２を有している。
【００３７】
第２ゴム栓収容部１３１は、図２３に示すように、雌端子保持部１２１の一面（第２シール面１２１Ａ）から延び、一括ゴム栓５０とホルダ６０とを囲む角筒状の第２囲み壁部１３３を備えている。第２シール面１２１Ａは、第２ゴム栓収容部１３１の奥壁部を兼ねている。第２囲み壁部１３３は、第２シール面１２１Ａと反対側に開口部（第２ゴム栓挿入口１３２）を有している。第２囲み壁部１３３は、一括ゴム栓５０とホルダ６０との下方に位置する第２下壁１３３Ｂ（下壁に該当）と、この第２下壁と向かい合って配置される第２上壁１３３Ａと、第２上壁１３３Ａと第２下壁１３３Ｂとの端縁同士を繋ぐ一対の第２側壁１３３Ｃとを備えている。
【００３８】
第２下壁１３３Ｂは、図７および図２２に示すように、外側に向かって張り出す２つの第２張り出し部１３４を備えることによって、部分的に肉厚となっている。２つの第２張り出し部１３４のうち一方は、第２ゴム栓挿入口１３２の開口縁に隣接するとともに、一方の第２側壁１３３Ｃに近接して配置され、他方は、第２ゴム栓挿入口１３２の開口縁に隣接するとともに、他方の第２側壁１３３Ｃに近接して配置されている。
【００３９】
第２下壁１３３Ｂは、２つの第２ガイド溝１３５（ガイド溝に該当）と、２つの第２排水孔１３６（排水路に該当）を有している。２つの第２ガイド溝１３５および２つの第２排水孔１３６の構成は互いに同一であるから、以下には、一方の第２ガイド溝１３５および２つの第２排水孔１３６について詳しく説明し、他方については、同一の構成に同一の符号を付して説明を省略する。
【００４０】
第２ガイド溝１３５は、第２下壁１３３Ｂにおいて、第２張り出し部１３４が配置された部分の内側に配置されている。第２ガイド溝１３５は、図７および図２１に示すように、第２下壁１３３Ｂの内側面（第２上壁１３３Ａと対向する面）から下方に凹み、第２ゴム栓挿入口１３２の開口縁から第２シール面１２１Ａに向かって延びる溝であって、第２下壁１３３Ｂの内側面と平行な第２溝底面１３５Ａと、この第２溝底面１３５Ａと第２下壁１３３Ｂの内側面とを繋ぐ一対の第２溝側面１３５Ｂと、一対の第２溝側面１３５Ｂの奥端縁（第２ゴム栓挿入口１３２とは反対側の端縁）同士を連結し、第２溝底面１３５Ａと第２下壁１３３Ｂの内側面とを繋ぐ第２奥端面１３５Ｃとで定義される溝である。
【００４１】
第２排水孔１３６は、図７に示すように、第２下壁１３３Ｂの内側（より具体的には、第２ガイド溝１３５の内側）に開口する第２入水口１３６Ａ（入水口に該当）と、第２下壁１３３Ｂの外側（より具体的には、第２張り出し部１３４の外側）に開口する第２出水口１３６Ｂ（出水口に該当）とを有し、第２下壁１３３Ｂを貫通する貫通孔である。第２入水口１３６Ａは、第２溝底面１３５Ａに、第２奥端面１３５Ｃに隣接して開口している。第２出水口１３６Ｂは、第２張り出し部１３４において雌端子保持部１２１の方を向く、第２シール面１２１Ａに平行な面（第３出水面１３４Ａ）に開口している。第３出水面１３４Ａは、第２奥端面１３５Ｃよりも第２シール面１２１Ａに近接して位置しており、したがって、第２出水口１３６Ｂは、第２入水口１３６Ａよりも第２シール面１２１Ａに近接して位置している。
【００４２】
ロックアーム１４１は、雌コネクタ１００が雄コネクタ１と嵌合された際に、雌ハウジング１２０と雄ハウジング２０とを正規嵌合位置にロックするための部分である。ロックアーム１４１は、図２１および図２３に示すように、雌端子保持部１２１において、第２シール面１２１Ａと垂直な複数の外面のうち一面（第２上壁１３３Ａに隣接する上面）から垂直に立ち上がる支持部１４２と、支持部１４２の立ち上がり端から第２ゴム栓収容部１３１に向かって延びるロック板部１４３と、ロック板部１４３から立ち上がるロック突起１４４とを備えている。ロック板部１４３は、支持部１４２を支点として上面に対して接近又は離間する方向へ弾性撓みすることが可能となっている。雌コネクタ１００が雄コネクタ１と嵌合される際には、ロック板部１４３が上面に近接する方向に撓んだ後、弾性復帰し、ロック突起１４４が雄コネクタ１のフード部４１に設けられたロック受け部４４に係止される。これにより、雌ハウジング１２０と雄ハウジング２０とが正規嵌合位置にロックされる。
【００４３】
（一括ゴム栓５０およびホルダ６０）
雌ハウジング１２０に組み付けられる一括ゴム栓５０およびホルダ６０の構成は、雄ハウジング２０に組み付けられる一括ゴム栓５０およびホルダ６０と同様であるので、同一の構成には同一の符号を付して説明を省略する。
【００４４】
（雌ハウジング１２０に対する一括ゴム栓５０、ホルダ６０および雌端子付き電線１１０の組み付け）
雄コネクタ１と同様に、一括ゴム栓５０とホルダ６０とは、第２ゴム栓収容部１３１の内部に収容される。図５に示すように、一括ゴム栓５０は、第２ゴム栓収容部１３１の奥端部に、第２シール面１２１Ａに隣接して配置されている。ゴム栓ホルダ６０は、当接面６１Ａを一括ゴム栓５０に当接させて、第２ゴム栓収容部１３１の内部に、第２ゴム栓挿入口１３２を塞ぐようにして収容されている。第２ゴム栓収容部１３１には、図１に示すように、２つの弾性係止片６６のそれぞれと係合する第２係合部１３７が設けられており、２つの弾性係止片６６のそれぞれが、２つの第２係合部１３７のそれぞれと係合することによって、ホルダ６０が第２ゴム栓収容部１３１に保持され、一括ゴム栓５０を抜け止めしている。２つのガイドリブ６５のそれぞれが、２つの第２ガイド溝１３５のそれぞれの内部に収容される。
【００４５】
図７に示すように、第２奥端面１３５Ｃは、当接面６１Ａよりも僅かに第２シール面１２１Ａに近接して配置されており、第２入水口１３６Ａが当接面６１Ａの直下に配置されている。ガイドリブ６５の長さは、第２ガイド溝１３５の長さよりもわずかに短く、ガイドリブ６５と第２奥端面１３５Ｃとの間には、隙間がある。第２出水口１３６Ｂは、当接面６１Ａおよび第２入水口１３６Ａよりも第２シール面１２１Ａに近接して位置している。
【００４６】
複数の雌端子付き電線１１０のそれぞれは、図３に示すように、雌端子金具１１１が各雌キャビティ１２２の内部に配置され、電線Ｗは、シール孔５１および電線挿通孔６２を通って雌ハウジング１２０の外部に延びている。一括ゴム栓５０の外周リップ５３が潰されながら第２ゴム栓収容部１３１の内側面に弾性的に密着し、内周リップ５２が潰されながら各電線Ｗの外周面に弾性的に密着することによって、水が雌キャビティ１２２の内部に浸入することが防がれている。
【００４７】
［雄コネクタ１と雌コネクタ１００との組み付け］
雄コネクタ１と雌コネクタとが組み付けられる際には、図３に示すように、フード部４１の内部に雌端子保持部１２１が収容される。雌端子保持部１２１とフード部４１との間にゴムリング７０が介在することで、雄ハウジング２０と雌ハウジング１２０との隙間がシールされている。また、雄コネクタ１においては、一括ゴム栓５０の外周リップ５３が第１ゴム栓収容部３１の内側面に弾性的に密着し、内周リップ５２が各電線Ｗの外周面に弾性的に密着し、雌コネクタ１００においては、一括ゴム栓５０の外周リップ５３が第２ゴム栓収容部１３１の内側面に弾性的に密着し、内周リップ５２が各電線Ｗの外周面に弾性的に密着している。これらにより、雄端子保持部２１および雌端子保持部１２１の内部への水の進入が防がれている。
【００４８】
しかし、電線挿通孔６２は、電線Ｗの太さに対してゆとりをもった大きさとされているため、電線挿通孔６２を通って、第１ゴム栓収容部３１の内部に水が進入することがある。雄コネクタ１が、第１シール面２１Ａよりも第１ゴム栓挿入口３２側が下がる姿勢に傾いていれば、水は第１ゴム栓収容部３１の内部に入り込みにくい。しかし、雄コネクタ１が、第１ゴム栓挿入口３２よりも第１シール面２１Ａ側が下がる姿勢に傾いている場合には、水が電線挿通孔６２から第１ゴム栓収容部３１の内部に流れ込み、ホルダ６０と一括ゴム栓５０との隙間に溜まってしまうことが懸念される。
【００４９】
そこで、本実施形態では、ホルダ６０に排水溝６３および外周溝６４を設け、雄ハウジング２０に第１排水孔３６を設けた。当接面６１Ａまで到達した水は、複数の排水溝６３および外周溝６４のいずれかを通って、第１ガイド溝３５に落ち、第１入水口３６Ａから第１排水孔３６に流れ込んで第１出水口３６Ｂから雄ハウジング２０の外部に排出される。ここで、ガイドリブ６５と第１奥端面３５Ｃとの間には、隙間があり、この隙間が当接面６１Ａの直下に配置されている。そして、第１入水口３６Ａも当接面６１Ａの直下に配置されている。これにより、当接面６１Ａまで到達した水がスムーズに第１排水孔３６に導かれる。また、第１出水口３６Ｂが、当接面６１Ａよりも第１シール面２１Ａに近い位置に至って開口している。これにより、当接面６１Ａまで到達した水が低い方へと流れてスムーズに第１出水口３６Ｂに導かれ、外部に排出される。
【００５０】
雌コネクタ１００についても同様に、雌コネクタ１００が、第２ゴム栓挿入口３２よりも第２シール面１２１Ａ側が下がる姿勢に傾いている場合に、当接面６１Ａまで到達した水は、複数の排水溝６３および外周溝６４のいずれかを通って、第２ガイド溝１３５に落ち、第２入水口１３６Ａから第２排水孔１３６に流れ込んで第２出水口１３６Ｂから雌ハウジング１２０の外部に排出される。ここで、ガイドリブ６５と第２奥端面１３５Ｃとの間には、隙間があり、この隙間が当接面６１Ａの直下に配置されている。そして、第２入水口１３６Ａも当接面６１Ａの直下に配置されている。これにより、当接面６１Ａまで到達した水がスムーズに第２排水孔１３６に導かれる。また、第２出水口１３６Ｂが、当接面６１Ａよりも第２シール面１２１Ａに近い位置に開口している。これにより、電線挿通孔６２から侵入し、当接面６１Ａまで到達した水が低い方へと流れてスムーズに第２出水口１３６Ｂに導かれ、外部に排出される。
【００５１】
［まとめ］
以上のように本実施形態によれば、雄コネクタ１は、電線Ｗと、電線Ｗの端末に接続された雄端子金具１１とを備える雄端子付き電線１０と、雄端子金具１１を保持する雄端子保持部２１と、雄端子保持部２１から連なる第１ゴム栓収容部３１とを備える雄ハウジング２０と、第１ゴム栓収容部３１の内部に収容され、第１ゴム栓収容部３１の内周面と電線Ｗの外周面との間をシールする一括ゴム栓５０と、第１ゴム栓収容部３１の内部に収容されて一括ゴム栓５０を抜け止めするホルダ６０とを備える。第１ゴム栓収容部３１は、第１シール面２１Ａと、第１シール面２１Ａから延び、一括ゴム栓５０とホルダ６０とを囲むとともに、第１ゴム栓挿入口３２を有する第１囲み壁部３３とを備えている。ホルダ６０は、第１ゴム栓挿入口３２を塞ぐように配置されており、電線Ｗを挿通可能な電線挿通孔６２を有している。第１囲み壁部３３は、一括ゴム栓５０とホルダ６０との下方に位置する第１下壁３３Ｂを備えるとともに、第１下壁３３Ｂの内側に開口する第１入水口３６Ａと外側に開口する出水口３６Ｂとを有して第１下壁３３Ｂを貫通する第１排水孔３６を有している。ホルダ６０は、一括ゴム栓５０に対向する当接面６１Ａを有しており、第１入水口３６Ａが、当接面６１Ａの直下に配置されている。
【００５２】
上記の構成によれば、電線挿通孔６２から侵入し、当接面６１Ａまで到達した水をスムーズに第１排水孔３６に導き、外部に排出することができる。
【００５３】
また、第１出水口３６Ｂが、当接面６１Ａよりも第１シール面２１Ａに近接する位置に至って開口している。これにより、雄コネクタ１が、第１ゴム栓挿入口３２よりも第１シール面２１Ａ側が下がる姿勢（水が第１ゴム栓収容部３１の内部に流れ込みやすい姿勢）に傾いている場合において、当接面６１Ａまで到達した水が低い方へと流れてスムーズに第１出水口３６Ｂに導かれ、外部に排出される。
【００５４】
さらに、ホルダ６０が、第１下壁３３Ｂと対向する下面６１Ｂを有するとともに、下面６１Ｂから突出するガイドリブ６５を備え、第１ゴム栓収容部３１にはガイドリブ６５が進入可能な第１ガイド溝３５が配置され、第１入水口３６Ａが第１ガイド溝３５の第１溝底面３５Ａに開口している。
【００５５】
ガイドリブ６５および第１ガイド溝３５は、ホルダ６０の第１ゴム栓収容部３１への挿入をガイドするためにある程度の幅をもって形成されているので、第１入水口３６Ａが第１ガイド溝３５の第１溝底面３５Ａに開口する構成とすることにより、第１排水孔３６の内部へ水がスムーズに流れ込むために必要な第１入水口３６Ａの大きさを確保することができる。
【００５６】
雌コネクタ１００も同様の構成を有しており、同様の作用効果が奏される。また、雄コネクタ１と雌コネクタ１００との双方が排水孔３６、１３６を有しているから、雄コネクタ１と雌コネクタ１００とが嵌合された状態で、雄コネクタ１側下がる姿勢で斜めに傾いた場合、雌コネクタ１００側が下がる姿勢で斜めに傾いた場合のいずれにおいても、スムーズに水を排出することができる。
【００５７】
＜他の実施形態＞
本明細書によって開示される技術は上記記述及び図面によって説明した実施形態に限定されるものではなく、例えば次のような種々の態様も含まれる。
（１）上記実施形態では、雄コネクタ１において、第１出水口３６Ｂが、当接面６１Ａよりも第１ゴム栓挿入口３２に近い位置から、第１シール面２１Ａに近い位置までに亘って開口する細長い孔となっているが、出水口の全体が、対向面よりも奥壁部に近接して配置されていても構わない。また、雌コネクタ１００において、第２出水口１３６Ｂが、当接面６１Ａよりも第１シール面２１Ａに近接して位置しているが、出水口の一部のみが、奥壁部に近い位置に至っていても構わない。
【００５８】
（２）上記実施形態では、複数の排水溝６３のうちいくつかが、ホルダ６０が雄ハウジング２０に組み付けられた状態で上下に隣り合う２つの電線挿通孔６２の孔縁同士を結んで配置され、残りの排水溝６３が、当接面６１Ａの上縁または下縁と電線挿通孔６２の孔縁とを結んで配置されていたが、ホルダが、左右に隣り合う２つの２つの電線挿通孔の孔縁同士を結んで配置される排水溝や、対向面の右縁または左縁と電線挿通孔の孔縁とを結んで配置される排水溝を備えていても構わない。
【符号の説明】
【００５９】
１…雄コネクタ（防水コネクタ）
１０…雄端子付き電線（端子付き電線）
１１…雄端子金具（端子金具）
２０…雄ハウジング（コネクタハウジング）
２１…雄端子保持部（端子保持部）
２１Ａ…第１シール面（奥壁部）
３１…第１ゴム栓収容部（ゴム栓収容部）
３２…第１ゴム栓挿入口（開口部）
３３…第１囲み壁部（囲み壁部）
３３Ｂ…第１下壁（下壁）
３５…第１ガイド溝（ガイド溝）
３６…第１排水孔（排水路）
３６Ａ…第１入水口（入水口）
３６Ｂ…第１出水口（出水口）
５０…一括ゴム栓（ゴム栓）
６０…ホルダ
６１Ａ…当接面（対向面）
６１Ｂ…下面
６２…電線挿通孔
６５…ガイドリブ
１００…雌コネクタ（防水コネクタ）
１１０…雌端子付き電線（端子付き電線）
１１１…雌端子金具（端子金具）
１２０…雌ハウジング（コネクタハウジング）
１２１…雌端子保持部（端子保持部）
１２１Ａ…第２シール面（奥壁部）
１３１…第２ゴム栓収容部（ゴム栓収容部）
１３２…第２ゴム栓挿入口（開口部）
１３３…第２囲み壁部（囲み壁部）
１３３Ｂ…第２下壁（下壁）
１３５…第２ガイド溝（ガイド溝）
１３６…第２排水孔（排水路）
１３６Ａ…第２入水口（入水口）
１３６Ｂ…第２出水口（出水口）
Ｗ…電線
【図１】
2019008904.tif 000003
【図２】
2019008904.tif 000004
【図３】
2019008904.tif 000005
【図４】
2019008904.tif 000006
【図５】
2019008904.tif 000007
【図６】
2019008904.tif 000008
【図７】
2019008904.tif 000009
【図８】
2019008904.tif 000010
【図９】
2019008904.tif 000011
【図１０】
2019008904.tif 000012
【図１１】
2019008904.tif 000013
【図１２】
2019008904.tif 000014
【図１３】
2019008904.tif 000015
【図１４】
2019008904.tif 000016
【図１５】
2019008904.tif 000017
【図１６】
2019008904.tif 000018
【図１７】
2019008904.tif 000019
【図１８】
2019008904.tif 000020
【図１９】
2019008904.tif 000021
【図２０】
2019008904.tif 000022
【図２１】
2019008904.tif 000023
【図２２】
2019008904.tif 000024
【図２３】
2019008904.tif 000025
【手続補正書】
【提出日】平成30年4月24日(2018.4.24)
【手続補正１】
【補正対象書類名】明細書
【補正対象項目名】００２２
【補正方法】変更
【補正の内容】
【００２２】
第１下壁３３Ｂは、２つの第１ガイド溝３５（ガイド溝に該当）と、２つの第１排水孔３６（排水路に該当）を有している。２つの第１ガイド溝３５および２つの第１排水孔３６の構成は互いに同一であるから、以下には、一方の第１ガイド溝３５および一方の第１排水孔３６について詳しく説明し、他方については、同一の構成に同一の符号を付して説明を省略する。
【手続補正２】
【補正対象書類名】明細書
【補正対象項目名】００３０
【補正方法】変更
【補正の内容】
【００３０】
（雄ハウジング２０に対する一括ゴム栓５０、ホルダ６０および雄端子付き電線１０の組み付け）
一括ゴム栓５０とホルダ６０とは、図５に示すように、第１ゴム栓収容部３１の内部に収容される。一括ゴム栓５０は、第１ゴム栓収容部３１の奥端に、第１シール面２１Ａに隣接して配置されている。ホルダ６０は、当接面６１Ａを一括ゴム栓５０に当接させて、第１ゴム栓収容部３１の内部に、第１ゴム栓挿入口３２を塞ぐようにして収容されている。図１に示すように、２つの弾性係止片６６のそれぞれが２つの第１係合部３７のそれぞれに係合することによって、ホルダ６０が第１ゴム栓収容部３１に保持され、一括ゴム栓５０を抜け止めしている。図２に示すように、２つのガイドリブ６５のそれぞれが、２つの第１ガイド溝３５のそれぞれの内部に収容される。ホルダ６０の組み付け方向（図２の上下方向）を間違えると、ガイドリブ６５が第１ゴム栓挿入口３２の開口縁に干渉してホルダ６０を組み付けることができないため、ホルダ６０の組み付け方向を間違えることが回避される。
【手続補正３】
【補正対象書類名】明細書
【補正対象項目名】００３９
【補正方法】変更
【補正の内容】
【００３９】
第２下壁１３３Ｂは、２つの第２ガイド溝１３５（ガイド溝に該当）と、２つの第２排水孔１３６（排水路に該当）を有している。２つの第２ガイド溝１３５および２つの第２排水孔１３６の構成は互いに同一であるから、以下には、一方の第２ガイド溝１３５および一方の第２排水孔１３６について詳しく説明し、他方については、同一の構成に同一の符号を付して説明を省略する。
【手続補正４】
【補正対象書類名】明細書
【補正対象項目名】００４４
【補正方法】変更
【補正の内容】
【００４４】
（雌ハウジング１２０に対する一括ゴム栓５０、ホルダ６０および雌端子付き電線１１０の組み付け）
雄コネクタ１と同様に、一括ゴム栓５０とホルダ６０とは、第２ゴム栓収容部１３１の内部に収容される。図５に示すように、一括ゴム栓５０は、第２ゴム栓収容部１３１の奥端部に、第２シール面１２１Ａに隣接して配置されている。ホルダ６０は、当接面６１Ａを一括ゴム栓５０に当接させて、第２ゴム栓収容部１３１の内部に、第２ゴム栓挿入口１３２を塞ぐようにして収容されている。第２ゴム栓収容部１３１には、図１に示すように、２つの弾性係止片６６のそれぞれと係合する第２係合部１３７が設けられており、２つの弾性係止片６６のそれぞれが、２つの第２係合部１３７のそれぞれと係合することによって、ホルダ６０が第２ゴム栓収容部１３１に保持され、一括ゴム栓５０を抜け止めしている。２つのガイドリブ６５のそれぞれが、２つの第２ガイド溝１３５のそれぞれの内部に収容される。
【手続補正５】
【補正対象書類名】明細書
【補正対象項目名】００５０
【補正方法】変更
【補正の内容】
【００５０】
雌コネクタ１００についても同様に、雌コネクタ１００が、第２ゴム栓挿入口１３２よりも第２シール面１２１Ａ側が下がる姿勢に傾いている場合に、当接面６１Ａまで到達した水は、複数の排水溝６３および外周溝６４のいずれかを通って、第２ガイド溝１３５に落ち、第２入水口１３６Ａから第２排水孔１３６に流れ込んで第２出水口１３６Ｂから雌ハウジング１２０の外部に排出される。ここで、ガイドリブ６５と第２奥端面１３５Ｃとの間には、隙間があり、この隙間が当接面６１Ａの直下に配置されている。そして、第２入水口１３６Ａも当接面６１Ａの直下に配置されている。これにより、当接面６１Ａまで到達した水がスムーズに第２排水孔１３６に導かれる。また、第２出水口１３６Ｂが、当接面６１Ａよりも第２シール面１２１Ａに近い位置に開口している。これにより、電線挿通孔６２から侵入し、当接面６１Ａまで到達した水が低い方へと流れてスムーズに第２出水口１３６Ｂに導かれ、外部に排出される。